(57)【要約】【課題】部材の設計精度や自動車への取付精度に拘わらず、先端から回り込んだ雨水が車内側へ滲み込む事態を非常に効果的に防止することができる自動車用サイドバイザーおよびその取付構造を提供する。【解決手段】自動車用サイドバイザー１は、バイザー本体２と閉塞部材３とによって構成されている。バイザー本体２は、庇部４が長尺帯状に形成されており、その庇部４の上端縁に沿って鍔部５が設けられている。さらに、庇部４の先端には、係合突片１０が設けられている。一方、固着部材５は、基端側に止水突片１３が設けられており、その止水突片１３と隣接するように係合孔が穿設されている。かかる自動車用サイドバイザー１は、バイザー本体２の係合突片１０を閉塞部材３の係合孔に係合させ、閉塞部材３の止水突片１３をバイザー本体２の先端に当接させた状態となるように、自動車に取り付けられる。【選択図】図１
2011116369.tif 000002
【特許請求の範囲】
【請求項１】
自動車の窓枠の上端縁に沿って取り付けられる自動車用サイドバイザーであって、
長尺帯状に形成された庇部の上端縁に沿って鍔部が設けられたバイザー本体と、
基端側に前記バイザー本体に当接する止水突片が設けられており、バイザー本体の先端と係合した状態で前記窓枠の上端縁と下端縁との交差位置の内側に固着される閉塞部材とからなることを特徴とする自動車用サイドバイザー。
【請求項２】
自動車の窓枠の上端縁に沿って取り付けられる自動車用サイドバイザーであって、
長尺帯状に形成された庇部の上端縁に沿って鍔部が設けられているとともに、先端に係合突片が設けられたバイザー本体と、
基端側に係合孔が穿設されており、その係合孔に前記バイザー本体の係合突片を挿入させた状態で前記窓枠の上端縁と下端縁との交差位置の内側に固着される閉塞部材とからなることを特徴とする自動車用サイドバイザー。
【請求項３】
窓枠の上端縁に沿って自動車用サイドバイザーを取り付けるための取付構造であって、
自動車用バイザーが、平板状の止水突片を基端側に設けた閉塞部材と、長尺な帯状に形成された庇部の上端縁に沿って鍔部を設けたバイザー本体とからなるものであり、
前記閉塞部材を、前記窓枠の上端縁と下端縁との交差位置の内側に当着するとともに、
前記閉塞部材の止水突片を前記バイザー本体の先端に当接させ、かつ、バイザー本体の先端を閉塞部材に係合させた状態で、バイザー本体の前記鍔部を自動車の窓枠の上端縁に沿って当着させることを特徴とする自動車用サイドバイザーの取付構造。
【請求項４】
窓枠の上端縁に沿って自動車用サイドバイザーを取り付けるための取付構造であって、
自動車用バイザーが、基端側に係合孔を穿設した閉塞部材と、長尺な帯状に形成された庇部の上端縁に沿って鍔部を設けるとともに先端に係合突片を設けたバイザー本体とからなるものであり、
前記閉塞部材を、前記窓枠の上端縁と下端縁との交差位置の内側に当着するとともに、その閉塞部材の係合孔に、前記バイザー本体の係合突片を挿入させた状態で、バイザー本体の前記鍔部を自動車の窓枠の上端縁に沿って当着させることを特徴とする自動車用サイドバイザーの取付構造。
【請求項５】
係合し合ったバイザー本体および閉塞部材の表面が面一になっていることを特徴とする請求項３、または請求項４に記載の自動車用サイドバイザーの取付構造。
【発明の詳細な説明】
【技術分野】
【０００１】
本発明は、日除けや雨除けとして自動車の窓枠に取り付けられる自動車用サイドバイザーに関するものである。
【背景技術】
【０００２】
雨除けや太陽光線の遮断、あるいは装飾を目的として、自動車の窓枠に自動車用サイドバイザーが取り付けられることがある。かかる自動車用サイドバイザーとしては、長尺な帯状の庇部の上端縁に沿って帯状の鍔部が設けられており、その帯状の鍔部を窓枠に接着することによって取り付けるものが知られている（特許文献１）。また、自動車用サイドバイザーを自動車へ取り付けた場合には、自動車用サイドバイザーの先端から回り込んだ雨水が車内の方へ滴り落ちる事態が生じることがあるため、そのような事態を防止する方法として、ドアミラーを設置したドアミラーベースの上側に、ドアミラーベースと自動車用サイドバイザーの先端部分との隙間を閉塞するための閉塞部材を設置する方法が提案されている（特許文献２）。
【先行技術文献】
【特許文献】
【０００３】
【特許文献１】特開２００５−１０４３６７号公報
【特許文献２】特開２００１−３０１５２７号公報
【発明の概要】
【発明が解決しようとする課題】
【０００４】
しかしながら、特許文献２の如きドアミラーベースと自動車用サイドバイザーの先端部分との隙間に閉塞部材を設置する方法においては、自動車用サイドバイザーの先端と閉塞部材の端縁とが単純に重ね合わされるだけであるので、自動車用サイドバイザーの先端部分と閉塞部材との隙間から雨水が車内側（表面側から裏面側へ）へ滲み込む事態が生じてしまう。また、自動車用サイドバイザーや閉塞部材の設計精度や自動車への取付精度の関係でサイドバイザーの先端と閉塞部材の端縁との隙間が大きくなった場合には、隙間から車内側へ雨水が滲み込む傾向がより顕著なものとなる。
【０００５】
本発明の目的は、かかる従来技術の問題点を解消し、部材の設計精度や自動車への取付精度に拘わらず、先端から回り込んだ雨水が車内側へ滲み込む事態を非常に効果的に防止することが可能な自動車用サイドバイザーおよびその取付構造を提供することにある。
【課題を解決するための手段】
【０００６】
かかる本発明の内、請求項１に記載された発明は、自動車の窓枠の上端縁に沿って取り付けられる自動車用サイドバイザーであって、長尺帯状に形成された庇部の上端縁に沿って鍔部が設けられたバイザー本体と、基端側に前記バイザー本体に当接する止水突片が設けられており、バイザー本体の先端と係合した状態で前記窓枠の上端縁と下端縁との交差位置の内側に固着される閉塞部材とからなることを特徴とするものである。
【０００７】
請求項２に記載された発明は、自動車の窓枠の上端縁に沿って取り付けられる自動車用サイドバイザーであって、長尺帯状に形成された庇部の上端縁に沿って鍔部が設けられているとともに、先端に係合突片が設けられたバイザー本体と、基端側に係合孔が穿設されており、その係合孔に前記バイザー本体の係合突片を挿入させた状態で前記窓枠の上端縁と下端縁との交差位置の内側に固着される閉塞部材とからなることを特徴とするものである。
【０００８】
請求項３に記載された発明は、窓枠の上端縁に沿って自動車用サイドバイザーを取り付けるための取付構造であって、自動車用バイザーが、平板状の止水突片を基端側に設けた閉塞部材と、長尺な帯状に形成された庇部の上端縁に沿って鍔部を設けたバイザー本体とからなるものであり、前記閉塞部材を、前記窓枠の上端縁と下端縁との交差位置の内側に当着するとともに、前記閉塞部材の止水突片を前記バイザー本体の先端に当接させ、かつ、バイザー本体の先端を閉塞部材に係合させた状態で、バイザー本体の前記鍔部を自動車の窓枠の上端縁に沿って当着させることを特徴とするものである。
【０００９】
請求項４に記載された発明は、窓枠の上端縁に沿って自動車用サイドバイザーを取り付けるための取付構造であって、自動車用バイザーが、基端側に係合孔を穿設した閉塞部材と、長尺な帯状に形成された庇部の上端縁に沿って鍔部を設けるとともに先端に係合突片を設けたバイザー本体とからなるものであり、前記閉塞部材を、前記窓枠の上端縁と下端縁との交差位置の内側に当着するとともに、その閉塞部材の係合孔に、前記バイザー本体の係合突片を挿入させた状態で、バイザー本体の前記鍔部を自動車の窓枠の上端縁に沿って当着させることを特徴とするものである。
【００１０】
請求項５に記載された発明は、請求項３、または請求項４に記載された発明において、係合し合ったバイザー本体および閉塞部材の表面が面一になっていることを特徴とするものである。
【発明の効果】
【００１１】
請求項１に記載された自動車用サイドバイザーは、バイザー本体と窓枠の上端縁と下端縁との交差位置の内側に固着された閉塞部材とが係合し、閉塞部材の基端の止水突片がバイザー本体の先端と当接した状態になるように自動車に取り付けられるため、上縁に沿って滴り先端に回り込んだ雨水が車内側へ滲み込む事態を効果的に防止することができる。
【００１２】
請求項２に記載された自動車用サイドバイザーは、係合突片が係合孔に挿入されることによってバイザー本体と閉塞部材とが強固に係合され、バイザー本体と閉塞部材とが離反した状態にならないので、バイザー本体や閉塞部材の設計精度や自動車への取付精度に拘わらず、先端に回り込んだ雨水がバイザー本体と閉塞部材との隙間から車内側へ滲み込む事態を効果的に防止することができる。
【００１３】
請求項３に記載された自動車用サイドバイザーの取付構造によれば、バイザー本体が窓枠の上端縁と下端縁との交差位置の内側に固着された閉塞部材と係合し、閉塞部材の基端の止水突片がバイザー本体の先端と当接した状態で保持されるため、自動車用サイドバイザーの上縁に沿って滴り先端に回り込んだ雨水が車内側へ滲み込む事態を効果的に防止することができる。
【００１４】
請求項４に記載された自動車用サイドバイザーの取付構造によれば、係合突片が係合孔に挿入されることによってバイザー本体と閉塞部材とが強固に係合された状態で保持され、バイザー本体と閉塞部材とが離反した状態にならないので、バイザー本体や閉塞部材の設計精度や自動車への取付精度に拘わらず、先端に回り込んだ雨水がバイザー本体と閉塞部材との隙間から車内側へ滲み込む事態を効果的に防止することができる。
【００１５】
請求項５に記載の自動車用サイドバイザーの取付構造によれば、バイザー本体と閉塞部材との接合部分に段差が形成されないため、自動車に取り付けた場合のデザインが良好なものとなる。その上、バイザー本体と閉塞部材との接合部に段差が形成されることによって風切り音が発生する、という事態が生じない。
【図面の簡単な説明】
【００１６】
【図１】サイドバイザーの外観図である。
【図２】サイドバイザーの断面図（図１におけるＡ−Ａ線断面図）である。
【図３】サイドバイザーの先端部分を示す斜視図である。
【図４】サイドバイザーを取り付ける自動車の窓枠部分を示す説明図である。
【図５】バイザー本体の先端を閉塞部材と係合させた状態を示す説明図（図１におけるＢ−Ｂ線断面図）である。
【図６】サイドバイザーを取り付けた自動車の窓枠部分を示す説明図である。
【発明を実施するための形態】
【００１７】
以下、本発明の自動車用サイドバイザー（以下、単にサイドバイザーという）の一実施形態を、図面にしたがって詳細に説明する。図１は、サイドバイザーの外観を示したものであり、サイドバイザー１は、日除けや雨除けとして機能するバイザー本体２と、自動車の窓枠の前端に固着された状態でバイザー本体２の先端と係合する閉塞部材３とによって構成されている。
【００１８】
図２は、バイザー本体２の鉛直断面（図１におけるＡ−Ａ線断面）の様子を示したものであり、バイザー本体２は、庇部４が着色されたアクリル樹脂によって長尺の帯状（刀身状）に形成されており、その庇部４の上縁に沿って、ステンレス板を折り曲げ形成した鍔部５が固着されている。鍔部５の上側には、自動車の窓枠を覆うための帯状の被覆部６が、外向きに凸になるように設けられており、鍔部５の下側には、庇部４と接合させるための帯状の接合凹部７が、内向きに凸になるように設けられている。一方、庇部４の上端縁際の内面には、鍔部５の接合凹部７と接合するための接合凸部８が設けられており、他の部分より内側に突出した状態になっている。そして、庇部４は、両面粘着テープ２０によって接合凸部８を鍔部５の接合凹部７に接着させることによって鍔部５と一体となっている。
【００１９】
また、図３は、サイドバイザー１の先端部分（バイザー本体２と閉塞部材３と分離した状態）を拡大して示したものである。バイザー本体２の庇部４の先端には、略鉛直な接合面９が設けられており（図５参照）、その接合面９には、縦長な帯状の係合突片１０が外側に突出するように設けられている。
【００２０】
一方、閉塞部材３は、自動車の車体に固着させるためのベース部１１が略三角形の平板状に形成されており、そのベース部１１の基端に、平板状の接合部１４が略直角に内側へ折り返すように一体的に設けられている。そして、接合部１４の上端際には、縦長な帯状の止水突片１３が外側に突出するように一体的に設けられている。なお、止水突片１３は、基端から先端にかけて次第に薄肉になっている（図５参照）。そして、その止水突片１３と隣接した外側には、バイザー本体２の係合突片１０を挿入するための縦長な係合孔１５が穿設されている。
【００２１】
以下、上記したサイドバイザー１を自動車の窓枠１６へ取り付ける方法について説明する。図４は、サイドバイザー１を取り付ける自動車を示したものであり、自動車の窓枠１６は、ステンレス製のモールによって装飾されている。また、窓枠１６の前端際においては、窓枠１６の上端縁と下端縁とが交差しており、その交差位置の内側には、平坦な表面を有する固着部１７が設けられている（自動車の車体に一体的に設けられている）。なお、固着部１７の斜め下側には、ドアミラー１８が突設されている。
【００２２】
サイドバイザー１を窓枠１６へ取り付ける際には、まず、閉塞部材３の接合部１４の裏面を窓枠１６の固着部１７の内側の端縁に当接させた状態で、ベース部１１の裏面を両面粘着テープ１９によって固着部１７の表面に接着させる。そのようにベース部１１が固着部１７に接着されると、閉塞部材３の接合部１４の表面が略鉛直に配置された状態となる。そして、閉塞部材３を固着した後には、図５の如く、閉塞部材３の係合孔１５に、バイザー本体２先端の係合突片１０を挿入することによって、閉塞部材３とバイザー本体２とを係合させる。そのようにバイザー本体２先端の係合突片１０が閉塞部材３の係合孔１５に挿入されることにより、止水突片１３の表面がバイザー本体２の先端の係合突片１０の裏面と当接した状態となる。なお、止水突片１３が基端から先端にかけて次第に薄肉になっているため、バイザー本体２先端の係合突片１０を係合孔１５へスムーズに挿入することができる。
【００２３】
さらに、上記の如く閉塞部材３へバイザー本体２を係合させるのと同時に、バイザー本体２の鍔部５の裏面（被覆部６の裏面）を両面粘着テープによって窓枠１６の上端縁に粘着させるとともに、鍔部５の上端縁を窓枠１６の上端縁に係合させることによって、サイドバイザー１の自動車への取り付けを完了する。図６は、取り付けを完了した状態を示したものである。
【００２４】
サイドバイザー１は、上記の如く、バイザー本体２と閉塞部材３とからなるものであり、バイザー本体２と固着部１７に固着された閉塞部材３とが係合し、閉塞部材３の基端の止水突片１３がバイザー本体２の先端と当接した状態となるように、自動車に取り付けられるため、上縁（バイザー本体２の上縁）に沿って滴り先端に回り込んだ雨水が車内側へ滲み込む事態を効果的に防止することができる。
【００２５】
また、サイドバイザー１は、バイザー本体２の先端に係合突片１０が設けられているとともに、閉塞部材３の基端側に係合孔１５が設けられており、バイザー本体２が、係合突片１０を係合孔１５に挿入させた状態で閉塞部材３に係合されるため、バイザー本体２と閉塞部材３とが強固に係合され、バイザー本体２と閉塞部材３とが離反した状態にならないので、バイザー本体２や閉塞部材３の設計精度や自動車への取付精度に拘わらず、先端に回り込んだ雨水がバイザー本体２と閉塞部材３との隙間から滲み込む事態を非常に効果的に防止することができる。
【００２６】
また、サイドバイザー１は、係合したバイザー本体２および閉塞部材３の表面が面一になっているため、自動車に取り付けた際のデザインが良好であるばかりでなく、バイザー本体２と閉塞部材３との接合部分に段差が形成されることによって風切り音が発生する、という事態が生じない。
【００２７】
なお、本発明のサイドバイザーの構成は、上記した実施の形態に何ら限定されるものではなく、バイザー本体や閉塞部材の形状、構造、材質、自動車への取り付け方法等の構成を、本発明の趣旨を逸脱しない範囲内で適宜変更することができる。
【００２８】
たとえば、サイドバイザーは、バイザー本体に設けられた係合突片を閉塞部材に設けられた係合孔に挿入することによってバイザー本体を閉塞部材に係合させるものに限定されず、バイザー本体に設けられた係合孔に閉塞部材の係合突片を挿入することによってバイザー本体を閉塞部材に係合させるもの等に変更することも可能である。また、係合突片は、必ずしもバイザー本体や閉塞部材に一体的に設ける必要はなく、別個に形成した上でバイザー本体や閉塞部材に固着することも可能である。
【００２９】
一方、係合突片と当接する止水突片は、係合孔と隣接した位置から外側に突出するように設けたものに限定されず、内側へ突出するように設けたもの（たとえば、閉塞部材の接合部の裏面側に突出するように設けたもの）でも良い。また、止水突片は、必ずしも閉塞部材に一体的に設ける必要はなく、別個に形成した上で閉塞部材に固着することも可能である。
【００３０】
また、本発明のサイドバイザーは、上記実施形態の如く、閉塞部材に止水突片が設けられたものに限定されず、バイザー本体（あるいは閉塞部材）に設けられた係合突片を閉塞部材（あるいはバイザー本体）に設けられた係合孔に挿入することによってバイザー本体と閉塞部材とを単純に係合させるものに変更することも可能である。なお、上記実施形態の如く、閉塞部材に係合孔と止水突片とを設けるとともバイザー本体に係合突片を設けて、係合孔に挿入された係合突片の裏面に止水突片の表面を当接させるように構成した場合には、係合突片によるバイザー本体と閉塞部材との離反防止効果と止水突片による止水効果との相乗効果により、先端に回り込んだ雨水がバイザー本体と閉塞部材との隙間から滲み込む事態を非常に効率良く防止することができる、というメリットがある。
【産業上の利用可能性】
【００３１】
本発明の自動車用サイドバイザーは、上記の如く優れた効果を奏するものであるから、自動車の日除けや雨除けとして好適に用いることができる。
【符号の説明】
【００３２】
１・・サイドバイザー
２・・バイザー本体
３・・閉塞部材
１０・・係合突片
１３・・止水突片
１５・・係合孔
１６・・窓枠
【図１】
2011116369.tif 000003
【図２】
2011116369.tif 000004
【図３】
2011116369.tif 000005
【図４】
2011116369.tif 000006
【図５】
2011116369.tif 000007
【図６】
2011116369.tif 000008
【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
自動車の窓枠の上端縁に沿って取り付けられる自動車用サイドバイザーであって、
長尺帯状に形成された庇部の上端縁に沿って鍔部が設けられているとともに、先端に係合突片が設けられたバイザー本体と、
基端側に係合孔が穿設されており、その係合孔に前記バイザー本体の係合突片を挿入させた状態で前記窓枠の上端縁と下端縁との交差位置の内側に固着される閉塞部材とからなることを特徴とする自動車用サイドバイザー。
【請求項２】
窓枠の上端縁に沿って自動車用サイドバイザーを取り付けるための取付構造であって、
自動車用バイザーが、基端側に係合孔を穿設した閉塞部材と、長尺な帯状に形成された庇部の上端縁に沿って鍔部を設けるとともに先端に係合突片を設けたバイザー本体とからなるものであり、
前記閉塞部材を、前記窓枠の上端縁と下端縁との交差位置の内側に当着するとともに、その閉塞部材の係合孔に、前記バイザー本体の係合突片を挿入させた状態で、バイザー本体の前記鍔部を自動車の窓枠の上端縁に沿って当着させることを特徴とする自動車用サイドバイザーの取付構造。
【請求項３】
係合し合ったバイザー本体および閉塞部材の表面が面一になっていることを特徴とする請求項２に記載の自動車用サイドバイザーの取付構造。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
請求項１に記載された発明は、自動車の窓枠の上端縁に沿って取り付けられる自動車用サイドバイザーであって、長尺帯状に形成された庇部の上端縁に沿って鍔部が設けられているとともに、先端に係合突片が設けられたバイザー本体と、基端側に係合孔が穿設されており、その係合孔に前記バイザー本体の係合突片を挿入させた状態で前記窓枠の上端縁と下端縁との交差位置の内側に固着される閉塞部材とからなることを特徴とするものである。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項２に記載された発明は、窓枠の上端縁に沿って自動車用サイドバイザーを取り付けるための取付構造であって、自動車用バイザーが、基端側に係合孔を穿設した閉塞部材と、長尺な帯状に形成された庇部の上端縁に沿って鍔部を設けるとともに先端に係合突片を設けたバイザー本体とからなるものであり、前記閉塞部材を、前記窓枠の上端縁と下端縁との交差位置の内側に当着するとともに、その閉塞部材の係合孔に、前記バイザー本体の係合突片を挿入させた状態で、バイザー本体の前記鍔部を自動車の窓枠の上端縁に沿って当着させることを特徴とするものである。
【手続補正６】
【補正対象書類名】明細書
【補正対象項目名】００１０
【補正方法】変更
【補正の内容】
【００１０】
請求項３に記載された発明は、請求項２に記載された発明において、係合し合ったバイザー本体および閉塞部材の表面が面一になっていることを特徴とするものである。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項１に記載された自動車用サイドバイザーは、係合突片が係合孔に挿入されることによってバイザー本体と閉塞部材とが強固に係合され、バイザー本体と閉塞部材とが離反した状態にならないので、バイザー本体や閉塞部材の設計精度や自動車への取付精度に拘わらず、先端に回り込んだ雨水がバイザー本体と閉塞部材との隙間から車内側へ滲み込む事態を効果的に防止することができる。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
請求項２に記載された自動車用サイドバイザーの取付構造によれば、係合突片が係合孔に挿入されることによってバイザー本体と閉塞部材とが強固に係合された状態で保持され、バイザー本体と閉塞部材とが離反した状態にならないので、バイザー本体や閉塞部材の設計精度や自動車への取付精度に拘わらず、先端に回り込んだ雨水がバイザー本体と閉塞部材との隙間から車内側へ滲み込む事態を効果的に防止することができる。
【手続補正１１】
【補正対象書類名】明細書
【補正対象項目名】００１５
【補正方法】変更
【補正の内容】
【００１５】
請求項３に記載の自動車用サイドバイザーの取付構造によれば、バイザー本体と閉塞部材との接合部分に段差が形成されないため、自動車に取り付けた場合のデザインが良好なものとなる。その上、バイザー本体と閉塞部材との接合部に段差が形成されることによって風切り音が発生する、という事態が生じない。